(57)【特許請求の範囲】
【請求項１】
複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量なロープを前記電柱列全体に架設し、かつ該架設ロープ上の各電柱間に伸縮性のチェーンコイルを該電柱間の片側に偏在させると共に、その偏在側端部を係止するように外挿し、
（ｂ）前記電柱列の最初の電柱間のチェーンコイルに、その係止側端部から前記メッセンジャーワイヤを挿入すると共に、該メッセンジャーワイヤの先端部と該チェーンコイルの非係止側端部とを該電柱間の他方の電柱側へ牽引し、該他方の電柱側に該チェーンコイルの非係止側端部を係止し、
（ｃ）前記（ｂ）の操作を前記最初の電柱間に順次隣接する電柱間にそれぞれ繰り返すことにより、全電柱間に前記メッセンジャーワイヤの張設とチェーンコイルの非係止側端部の係止とを行い、
（ｄ）次いで、前記電柱列全体に架設したロープの一方の端部にケーブルを接続し、該ロープの他方の端部を牽引して電柱列外へ引き抜くことにより、前記ケーブルを前記電柱列全体のチェーンコイルの内側に挿入する、ケーブルの架設方法。
【請求項２】
複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープを前記電柱列全体に架設し、かつ該第１のロープ上の各電柱間に伸縮性のチェーンコイルを該電柱間の片側に偏在させると共に、その偏在側端部を係止するように外挿し、
（ｂ）前記電柱列の最初の電柱間のチェーンコイルに、その係止側端部から前記メッセンジャーワイヤと該メッセンジャーワイヤよりも軽量の第２のロープを挿入すると共に、該メッセンジャーワイヤと第２のロープとの先端部と前記チェーンコイルの非係止側端部とを該電柱間の他方の電柱側へ牽引し、該他方の電柱側に該チェーンコイルの非係止側端部を係止し、
（ｃ）前記（ｂ）の操作を前記最初の電柱間に順次隣接する電柱間にそれぞれ繰り返すことにより、全電柱間に前記メッセンジャーワイヤと第２のロープとの張設とチェーンコイルの非係止側端部の係止とを行い、
（ｄ）次いで、前記電柱列全体に架設した第１のロープと第２のロープとの端部にそれぞれ第１のケーブルと第２のケーブルとを接続し、該第１のロープ及び第２のロープの他端部を牽引して電柱列外へ引き抜くことにより、前記第１のケーブル及び第２のケーブルを前記電柱列全体のチェーンコイルの内側に挿入する、ケーブルの架設方法。
【請求項３】
複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープと第２のロープとを前記電柱列全体に架設し、かつ該２本のロープ上の各電柱間に伸縮性のチェーンコイルを該電柱間の片側に偏在させると共に、その偏在側端部を係止するように外挿し、
（ｂ）前記電柱列の最初の電柱間のチェーンコイルの係止側端部に臨む前記第１及び第２のロープのいずれか一方のロープに対して前記メッセンジャーワイヤを接続し、
（ｃ）次いで、該メッセンジャーワイヤの接続端部を前記最初の電柱間のチェーンコイルに挿入すると共に、前記接続端部と該チェーンコイルの非係止側端部とを前記一方のロープを牽引しながら該電柱間の他方の電柱側へ移動させ、該他方の電柱側に該チェーンコイルの非係止側端部を係止し、
（ｄ）前記（ｃ）の操作を前記最初の電柱間に順次隣接する電柱間にそれぞれ繰り返すことにより、全電柱間に前記メッセンジャーワイヤの張設とチェーンコイルの非係止側端部の係止とを行い、
（ｅ）次いで、前記第１及び第２のロープのうち残る他方のロープの端部にケーブルを接続し、該他方のロープの他端部を牽引して電柱列外へ引き抜くことにより、前記ケーブルを前記電柱列全体のチェーンコイルの内側に挿入する、ケーブルの架設方法。
【請求項４】
複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープと第２のロープとを前記電柱列全体に架設し、かつ該２本のロープ上の各電柱間に伸縮性のチェーンコイルを該電柱間の片側に偏在させると共に、その偏在側端部を係止するように外挿し、
（ｂ）前記電柱列の最初の電柱間のチェーンコイルの係止側端部に臨む前記第１及び第２のロープのいずれか一方のロープに、前記メッセンジャーワイヤと該メッセンジャーワイヤよりも軽量な第３のロープとの端部を接続し、
（ｃ）次いで、該メッセンジャーワイヤと第３のロープとの接続端部を前記最初の電柱間のチェーンコイルに挿入すると共に、前記接続端部と該チェーンコイルの非係止側端部とを前記一方のロープを牽引しながら該電柱間の他方の電柱側へ移動させ、該他方の電柱側に該チェーンコイルの非係止側端部を係止し、
（ｄ）前記（ｃ）の操作を前記最初の電柱間に順次隣接する電柱間にそれぞれ繰り返すことにより、全電柱間に前記メッセンジャーワイヤと第３のロープとの張設とチェーンコイルの非係止側端部の係止とを行い、
（ｅ）次いで、前記第１及び第２のロープのうち残る他方のロープの端部と第３のロープの端部とにそれぞれ第１のケーブルと第２のケーブルとを接続し、該他方のロープと第３のロープとの他端部を牽引して電柱列外へ引き抜くことにより、該第１のケーブルと第２のケーブルとを前記電柱列全体のチェーンコイルの内側に挿入する、ケーブルの架設方法。
【請求項５】
複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープを前記電柱列全体に架設すると共に、該架設ロープ上の各電柱間に伸縮性のチェーンコイルを張設するように外挿し、
（ｂ）前記電柱列の最初の電柱間のチェーンコイルの係止側端部に臨む前記ロープに、前記メッセンジャーワイヤと該メッセンジャーワイヤよりも軽量な第２のロープとの端部を接続し、
（ｃ）次いで、該メッセンジャーワイヤと第２のロープとの接続端部を前記最初の電柱間のチェーンコイルに挿入すると共に、前記接続端部を前記第１のロープを牽引しながら前記電柱列の最後の端部まで移動させて係止し、
（ｄ）次いで、前記第２のロープの端部にケーブルを接続し、該第２のロープの他端部を牽引して電柱列外へ引き抜くことにより、該ケーブルを前記電柱列全体のチェーンコイルの内側に挿入する、ケーブルの架設方法。
【請求項６】
複数本の電柱を立設した電柱列にメッセンジャーワイヤを張設し、該メッセンジャーワイヤにケーブルを沿わせて懸架するケーブルの架設方法において、
（ａ）メッセンジャーワイヤと該メッセンジャーワイヤよりも軽量なロープとの端部に伸縮性のチェーンコイルを外挿すると共に、該チェーンコイルの端部を前記電柱列の最初の電柱側に係止し、
（ｂ）次いで、前記チェーンコイルの非係止側端部を前記メッセンジャーワイヤの端部と共に、前記ロープを牽引しながら前記最初の電柱に隣接する電柱に向けて移動させ、該チェーンコイルの非係止側端部を該隣接する電柱側に係止し、（ｃ）前記（ｂ）を前記最初の電柱間に順次隣接する電柱間にそれぞれ繰り返すことにより、全電柱間に前記チェーンコイルの張設と共に、前記メッセンジャーワイヤとロープとの張設を行い、
（ｄ）次いで、前記ロープの端部にケーブルを接続し、該ロープの他端部を牽引して電柱列外へ引き抜くことにより、前記ケーブルを電柱列全体のチェーンコイルの内側に挿入する、ケーブルの架設方法。
【発明の詳細な説明】
【０００１】
【発明の属する技術分野】
本発明は、通信用ケーブル等のケーブル架設方法に関し、さらに詳しくは、架設作業の能率を一層向上するケーブルの架設方法に関する。
【０００２】
【従来の技術】
一般に、電信や光通信等の通信用ケーブルを架設する方法は、図９に示すように、電柱間にメッセンジャーワイヤ１５（支持線）を張設し、このメッセンジャーワイヤ１５の長手方向に５０〜６０ｃｍのピッチでケーブルハンガー等の金属製吊具１３を取り付けながら通信用ケーブル１７を懸架させるようにする。
【０００３】
このようにケーブルを架設する工事方法は、まず電柱間（図示せず）にメッセンジャーワイヤ１５を架設し、このメッセンジャーワイヤ１５の長手方向の数カ所に金車と称される滑車を吊り下げる。次いで、これら滑車に通信用ケーブル１７を案内させながらメッセンジャーワイヤ１５と平行に仮架設し、次いで仮架設されたケーブル１７をメッセンジャーワイヤ１５に順次５０〜６０ｃｍのピッチで移動しながら、図９のように吊具１３で連結すると共に、滑車を取り外すようにしている。
【０００４】
しかし、上記吊具１３の取付け作業は、作業員が高所作業車に乗り、かつ多数の吊具を所持して５０〜６０ｃｍずつ移動しながら１個ずつ取り付ける危険な作業であるため、相当の熟練を要するだけでなく多大な時間を要する非能率な作業になっていた。
【０００５】
また、上記ケーブル架設工事における他の問題は、メッセンジャーワイヤが複数本の鋼線を撚り合わせた太い撚線から構成され相当の重量を有しているため、電柱列に張設する作業に多大の労力と時間を要し、これが同じく作業能率を低下させる原因になっていた。特に、道路が交叉している架設場所とか、既設の他のケーブルの上部を交差する架設場所とか、建物等の障害物がある架設場所などでは、メッセンジャーワイヤの張設作業が複雑になり、作業能率を極めて悪くしていた。
【０００６】
【発明が解決すようとする課題】
本発明の目的は、ケーブルの架設工事を簡便化することにより、安全でかつ一層作業能率を向上するようにしたケーブルの架設方法を提供することにある。
【０００７】
【課題を解決するための手段】
上記目的を達成するケーブルの架設方法として、本発明は、次の六つの方法を提案する。
【０００８】
本発明の第一のケーブル架設方法は、複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量なロープを前記電柱列全体に架設し、かつ該架設ロープ上の各電柱間に伸縮性のチェーンコイルを該電柱間の片側に偏在させると共に、その偏在側端部を係止するように外挿し、
（ｂ）前記電柱列の最初の電柱間のチェーンコイルに、その係止側端部から前記メッセンジャーワイヤを挿入すると共に、該メッセンジャーワイヤの先端部と該チェーンコイルの非係止側端部とを該電柱間の他方の電柱側へ牽引し、該他方の電柱側に該チェーンコイルの非係止側端部を係止し、
（ｃ）前記（ｂ）の操作を前記最初の電柱間に順次隣接する電柱間にそれぞれ繰り返すことにより、全電柱間に前記メッセンジャーワイヤの張設とチェーンコイルの非係止側端部の係止とを行い、
（ｄ）次いで、前記電柱列全体に架設したロープの一方の端部にケーブルを接続し、該ロープの他方の端部を牽引して電柱列外へ引き抜くことにより、前記ケーブルを前記電柱列全体のチェーンコイルの内側に挿入することを特徴とするものである。
【０００９】
本発明の第二のケーブル架設方法は、複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープを前記電柱列全体に架設し、かつ該第１のロープ上の各電柱間に伸縮性のチェーンコイルを該電柱間の片側に偏在させると共に、その偏在側端部を係止するように外挿し、
（ｂ）前記電柱列の最初の電柱間のチェーンコイルに、その係止側端部から前記メッセンジャーワイヤと該メッセンジャーワイヤよりも軽量の第２のロープを挿入すると共に、該メッセンジャーワイヤと第２のロープとの先端部と前記チェーンコイルの非係止側端部とを該電柱間の他方の電柱側へ牽引し、該他方の電柱側に該チェーンコイルの非係止側端部を係止し、
（ｃ）前記（ｂ）の操作を前記最初の電柱間に順次隣接する電柱間にそれぞれ繰り返すことにより、全電柱間に前記メッセンジャーワイヤと第２のロープとの張設とチェーンコイルの非係止側端部の係止とを行い、
（ｄ）次いで、前記電柱列全体に架設した第１のロープと第２のロープとの端部にそれぞれ第１のケーブルと第２のケーブルとを接続し、該第１のロープ及び第２のロープの他端部を牽引して電柱列外へ引き抜くことにより、前記第１のケーブル及び第２のケーブルを前記電柱列全体のチェーンコイルの内側に挿入することを特徴とするものである。
【００１０】
本発明の第三のケーブル架設方法は、複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープと第２のロープとを前記電柱列全体に架設し、かつ該２本のロープ上の各電柱間に伸縮性のチェーンコイルを該電柱間の片側に偏在させると共に、その偏在側端部を係止するように外挿し、
（ｂ）前記電柱列の最初の電柱間のチェーンコイルの係止側端部に臨む前記第１及び第２のロープのいずれか一方のロープに対して前記メッセンジャーワイヤを接続し、
（ｃ）次いで、該メッセンジャーワイヤの接続端部を前記最初の電柱間のチェーンコイルに挿入すると共に、前記接続端部と該チェーンコイルの非係止側端部とを前記一方のロープを牽引しながら該電柱間の他方の電柱側へ移動させ、該他方の電柱側に該チェーンコイルの非係止側端部を係止し、
（ｄ）前記（ｃ）の操作を前記最初の電柱間に順次隣接する電柱間にそれぞれ繰り返すことにより、全電柱間に前記メッセンジャーワイヤの張設とチェーンコイルの非係止側端部の係止とを行い、
（ｅ）次いで、前記第１及び第２のロープのうち残る他方のロープの端部にケーブルを接続し、該他方のロープの他端部を牽引して電柱列外へ引き抜くことにより、前記ケーブルを前記電柱列全体のチェーンコイルの内側に挿入することを特徴とするものである。
【００１１】
本発明の第四のケーブル架設方法は、複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープと第２のロープとを前記電柱列全体に架設し、かつ該２本のロープ上の各電柱間に伸縮性のチェーンコイルを該電柱間の片側に偏在させると共に、その偏在側端部を係止するように外挿し、
（ｂ）前記電柱列の最初の電柱間のチェーンコイルの係止側端部に臨む前記第１及び第２のロープのいずれか一方のロープに、前記メッセンジャーワイヤと該メッセンジャーワイヤよりも軽量な第３のロープとの端部を接続し、
（ｃ）次いで、該メッセンジャーワイヤと第３のロープとの接続端部を前記最初の電柱間のチェーンコイルに挿入すると共に、前記接続端部と該チェーンコイルの非係止側端部とを前記一方のロープを牽引しながら該電柱間の他方の電柱側へ移動させ、該他方の電柱側に該チェーンコイルの非係止側端部を係止し、
（ｄ）前記（ｃ）の操作を前記最初の電柱間に順次隣接する電柱間にそれぞれ繰り返すことにより、全電柱間に前記メッセンジャーワイヤと第３のロープとの張設とチェーンコイルの非係止側端部の係止とを行い、
（ｅ）次いで、前記第１及び第２のロープのうち残る他方のロープの端部と第３のロープの端部とにそれぞれ第１のケーブルと第２のケーブルとを接続し、該他方のロープと第３のロープとの他端部を牽引して電柱列外へ引き抜くことにより、該第１のケーブルと第２のケーブルとを前記電柱列全体のチェーンコイルの内側に挿入することを特徴とするものである。
【００１２】
本発明の第五のケーブル架設方法は、複数本の電柱を立設した電柱列にメッセンジャーワイヤを張設し、該メッセンジャーワイヤにケーブルを沿わせて懸架するケーブルの架設方法において、
（ａ）前記メッセンジャーワイヤよりも軽量な第１のロープを前記電柱列全体に架設すると共に、該架設ロープ上の各電柱間に伸縮性のチェーンコイルを張設するように外挿し、
（ｂ）前記電柱列の最初の電柱間のチェーンコイルの係止側端部に臨む前記ロープに、前記メッセンジャーワイヤと該メッセンジャーワイヤよりも軽量な第２のロープとの端部を接続し、
（ｃ）次いで、該メッセンジャーワイヤと第２のロープとの接続端部を前記最初の電柱間のチェーンコイルに挿入すると共に、前記接続端部を前記第１のロープを牽引しながら前記電柱列の最後の端部まで移動させて係止し、
（ｄ）次いで、前記第２のロープの端部にケーブルを接続し、該第２のロープの他端部を牽引して電柱列外へ引き抜くことにより、該ケーブルを前記電柱列全体のチェーンコイルの内側に挿入することを特徴とするものである。
【００１３】
また、本発明の第六のケーブル架設方法は、複数本の電柱を立設した電柱列にメッセンジャーワイヤを張設し、該メッセンジャーワイヤにケーブルを沿わせて懸架するケーブルの架設方法において、
（ａ）メッセンジャーワイヤと該メッセンジャーワイヤよりも軽量なロープとの端部に伸縮性のチェーンコイルを外挿すると共に、該チェーンコイルの端部を前記電柱列の最初の電柱側に係止し、
（ｂ）次いで、前記チェーンコイルの非係止側端部を前記メッセンジャーワイヤの端部と共に、前記ロープを牽引しながら前記最初の電柱に隣接する電柱に向けて移動させ、該チェーンコイルの非係止側端部を該隣接する電柱側に係止し、（ｃ）前記（ｂ）を前記最初の電柱間に順次隣接する電柱間にそれぞれ繰り返すことにより、全電柱間に前記チェーンコイルの張設と共に、前記メッセンジャーワイヤとロープとの張設を行い、
（ｄ）次いで、前記ロープの端部にケーブルを接続し、該ロープの他端部を牽引して電柱列外へ引き抜くことにより、前記ケーブルを電柱列全体のチェーンコイルの内側に挿入することを特徴とするものである。
【００１４】
上述した各ケーブル架設方法は、いずれの方法もメッセンジャーワイヤとケーブルとの外側に伸縮自在のチェーンコイルを外挿し、そのチェーンコイルを伸長状態にするだけの操作で、１個ずつ吊具を取り付けることなくメッセンジャーワイヤに対してケーブルを一定ピッチで懸架するようにすることができる。すなわち、従来のケーブル架設工事においてネックになっていた吊具の取付け作業を省略するため、作業能率を一挙に向上することができる。
【００１５】
また、上述したケーブル架設方法では、特に第一から第五のケーブル架設方法では、重量の大きいメッセンジャーワイヤを直接電柱間に張設せず、予めメッセンジャーワイヤよりも軽量なロープを張設し、このロープにチェーンコイルを介してメッセンジャーワイヤを支えるようにして張設を行うので、メッセンジャーワイヤの重量負担を軽減しながら、またメッセンジャーワイヤが重くて垂れ下がるという危険性を回避しながら安全に張設作業を行うことができる。
【００１６】
【発明の実施の形態】
本発明のケーブル架設方法には、メッセンジャーワイヤのほか、メッセンジャーワイヤよりも軽量のロープとチェーンコイルとが使用される。メッセンジャーワイヤとは、ケーブルを懸架する支持手段であり、通常は複数本の鋼線をロープ状に撚り合わせて構成されている。このメッセンジャーワイヤとしては、従来から使用されている公知のものがいずれも使用可能である。
【００１７】
本発明においてロープとは、ケーブル架設工事で補助手段として使用されるものであり、最終的にケーブルが架設された後は撤去される。このロープにはメッセンジャーワイヤよりも軽量で取扱いやすいものが使用され、必要強度を有するものであれば軽量であるほど有利である。
【００１８】
このロープの重量としては、好ましくはメッセンジャーワイヤの重量の７５％以下、さらに好ましくは５０％以下であるものがよい。例えば、ナイロン繊維、ポリエステル繊維等からなる合成繊維製ロープ、麻、綿等からなる天然繊維製ロープ、或いは樹脂被覆した鋼線の撚線からなる細径の金属−樹脂のハイブリッドロープなどを挙げることができる。
【００１９】
本発明においてチェーンコイルとは、図７及び図８に例示されるような、合成樹脂からコイル状に成形された伸縮性の線状体をいい、従来の吊具の代わりに使用される部品である。
【００２０】
図７に例示するチェーンコイル２は、コイル本体２Ａが合成樹脂モノフィラメントから螺旋状に連続成形され、その両端部にスリーブ２Ｂを取り付けるように構成されている。ただし、スリーブ２Ｂは必ずしも必要とするものではなく、目的に応じて取り付ければよい。
【００２１】
コイル本体２Ａを構成する合成樹脂モノフィラメントは、横断面形状が円形でも、非円形でもよいが、好ましくは非円形断面であるのがよい。コイル本体２Ａが非円形断面の場合には、その長手方向に沿って螺旋状の撚りが与えられたものが好ましい。すなわち、図７（Ｂ）に示すように三葉断面等の非円形断面であり、かつ長手方向に沿って螺旋状に撚りが与えられていると、ケーブルを高所に架設したときに発生しやすい風切り音や雪の付着を防止することができる。
【００２２】
コイル本体２Ａは、合成樹脂モノフィラメントの単線だけから構成してもよく、或いは複数本の撚線から構成してもよく、或いは一部金属線を含んで構成してもよい。複数本のモノフィラメントの撚線にする場合は、その撚り数を５〜４０Ｔ／Ｍの範囲にすることが好ましい。
【００２３】
コイル本体２Ａの太さは、モノフィラメントの単線だけか、複数本の撚線であるかを問わず、その外接円直径が２．０〜６．０ｍｍ、好ましくは４．０〜５．０ｍｍであるのがよい。このような外接円直径に設定することにより、チェーンコイル２に最適の剛性、強さ、伸縮性を付与することができる。太さが２．０ｍｍ未満ではチェーンコイルの剛性が不足し、また６．０ｍｍ以上では剛性が大きすぎるためケーブル架設作業性が低下する。
【００２４】
合成樹脂製のチェーンコイル２は弾性を有し伸縮自在であるので、図７（Ａ）に示す収縮時（非伸長時）の長さ（原長）Ｌ0 から、図８に示す長さＬ1 に伸長させることができる。原長Ｌ0 は、ケーブルの端部をチェーンコイルの内側に挿入する操作を容易にするため、出来るだけ短い方が好ましいが、逆に架設使用時の架設長さＬ1 は、長くする方が作業能率をよくする。
【００２５】
これらの観点から、コイル本体２Ａのフィラメント外接円直径が２．０〜６．０ｍｍで、非伸長時のチェーンコイル直径が３０〜１２０ｍｍであるとき、チェーンコイルの非伸長時の原長Ｌ0 に対する架設伸長時の長さＬ1 の比Ｌ1 ／Ｌ0 を１０〜８０の範囲にすることが好ましく、さらに好ましくは２０〜６０の範囲にするのがよい。
【００２６】
チェーンコイルを構成する合成樹脂としては、繊維形成性の熱可塑性樹脂が好ましい。例えば、ポリエステル、ポリアミド、ポリオレフィン等を好ましい素材として挙げることができる。なかでも、特にポリエステルが好ましい。
【００２７】
ポリエステルとしては、ポリエチレンテレフタレート、ポリブチレンテレフタレート、またはこれらにアジピン酸、イソフタル酸、イソフタル酸スルホネートおよびポリエチレングリコール等の第三成分を共重合した共重合ポリエステル等を挙げることができ、特にポリエチレンテレフタレートは最適である。
【００２８】
ポリアミドとしては、ナイロン６、ナイロン６６、ナイロン６１０、ナイロン６１２、ナイロン１１、ナイロン１２およびこれら各ナイロン構成成分の組み合わせからなる共重合ポリアミド等を挙げることができる。
【００２９】
これらの熱可塑性樹脂には、必要により耐熱剤、耐候剤、耐光剤、酸化防止剤、帯電防止剤、染料および顔料等の添加剤成分を含有させることができる。
【００３０】
以下、上述したメッセンジャーワイヤ、ロープ、チェーンコイルを使用して行う本発明のケーブル架設方法を、図に示す実施形態を参照して具体的に説明する。なお、図では、便宜上４本の電柱列にケーブルを架設する場合について説明するが、実際には４本以上の多数本からなる電柱列に対し、同様にして適用できることは勿論である。
【００３１】
図１（Ａ）〜（Ｅ）は、本発明の第一のケーブル架設方法を工程順に示している。
まず、図１（Ａ）に示すように、地上に４本の電柱１ａ，１ｂ，１ｃ，１ｄが列状に立設された電柱列にそれぞれ取付金具６ａ，６ｂ，６ｃ，６ｄを装着し、この取付金具６ａ，６ｂ，６ｃ，６ｄを介してロープ３を各電柱間１ａ，１ｂ，１ｃ，１ｄに張設する。このロープ３は、後述するメッセンジャーワイヤ５よりも十分に軽量なものが使用される。
【００３２】
また、上記ロープ３を張設するとき、または張設した後に、電柱列の各電柱間１ａ−１ｂ，１ｂ−１ｃ，１ｃ−１ｄ間に渡るロープ３上に、合成樹脂製のチェーンコイル２ａ，２ｂ，２ｃを外挿し、かつそれらの前端側（図の左端側）を、各電柱間１ａ−１ｂ，１ｂ−１ｃ，１ｃ−１ｄ間の電柱列前側（左端側）の電柱１ａ，１ｂ，１ｃに装着されている取付金具６ａ，６ｂ，６ｃに固定するか、或いはクリップ等の仮止め手段４ａ，４ｂ，４ｃによりロープ３上に仮止めして偏在させておく。
【００３３】
次に、図１（Ｂ）のように、電柱列の最前端にメッセンジャーワイヤ５が巻かれたリール９を設置し、このリール９からメッセンジャーワイヤ５を解除して、その先端を最初の電柱間１ａ−１ｂのチェーンコイル２ａに前端（左端）から後端（右端）へ向けて挿通する。引き続き、そのメッセンジャーワイヤ５の端部をチェーンコイル２ａの後端部（右端部）と共に、ロープ３に沿ってチェーンコイル２ａを伸長させながら後方の電柱１ｂへ向けて牽引し、、そのチェーンコイル２ａの後端部を後方側の電柱１ｂの取付金具６ｂに固定するか、或いは電柱１ｂ近傍のロープ３上に仮止めし、かつメッセンジャーワイヤ５を最初の電柱間１ａ−１ｂに延線する。
【００３４】
上記最初の電柱間１ａ−１ｂで行った作業を、順次隣接する電柱間１ｂ−１ｃおよび１ｃ−１ｄで繰り返すことにより、それぞれチェーンコイル２ａ，２ｂ，２ｃを各電柱間１ａ−１ｂ，１ｂ−１ｃ，１ｃ−１ｄに伸長セットすると共に、メッセンジャーワイヤ５を延線して、図１（Ｃ）の状態にする。
【００３５】
メッセンジャーワイヤ５の延線操作とチェーンコイル２ａ，２ｂ，２ｃの伸長セット操作は、図１（Ｂ）中に図示するように、地上で作業員Ｍが引っ張りながら行ってもよいが、高所作業車に搭乗して作業車と共に移動しながら行うようにしてもよい。メッセンジャーワイヤ５の延線は、ロープ３に対してチェーンコイル２ａ，２ｂ，２ｃを介して懸架させた支持状態にして行うので、作業者Ｍに対するメッセンジャーワイヤ５の重量負荷は小さくなり、また地上に垂れ下がることなく軽快に延線することができる。
【００３６】
次いで、図１（Ｄ）のように、延線後のメッセンジャーワイヤ５を各電柱１ａ，１ｂ，１ｃ，１ｄの取付金具６ａ，６ｂ，６ｃ，６ｄに固定し、またチェーンコイル２ａ，２ｂ，２ｃの両端部を取付金具６ａ，６ｂ，６ｃ，６ｄに固定せず、ロープ３上に仮止めしてある場合は、その両端部をメッセンジャーワイヤ５側に移して固定金具８で固定する。または、メッセンジャーワイヤ５への固定と各電柱の取付金具６ａ，６ｂ，６ｃ，６ｄへの固定とを併用してもよい。
【００３７】
次いで、図１（Ｅ）のように、ケーブル７を巻回したリール１０を電柱列の前端部に設置し、このリール１０から引き出したケーブル７の端部を、電柱列に張設したロープ３の端部に連結し、このロープ３の端部を矢印方向に牽引し、電柱列外へ引き抜きながら、ケーブル７を各チェーンコイル２ａ，２ｂ，２ｃ内に挿通させる。ケーブル７を電柱列全体に延線すると、ケーブル７はチェーンコイル２ａ，２ｂ，２ｃを介してメッセンジャーワイヤ５に対し一定ピッチで懸架された状態になる。ここで、電柱列全体に対するケーブル７の架設作業が完了する。
【００３８】
上述した本発明のケーブル架設方法によれば、メッセンジャーワイヤ５に対しチェーンコイルを介してケーブルを懸架させるようにするため、従来の吊具を１個ずつ取り付ける煩雑な作業が解消されることになり、作業性を著しく向上することができる。しかも、合成樹脂製のチェーンコイルは金属製吊具に比べて軽量であるので、この点からも作業性を向上することができる。
【００３９】
また、重量体であるメッセンジャーワイヤの張設に際しては、これを初めから電柱列に架設するのではなく、予め電柱間に軽量なロープを張設し、このロープにチェーンコイルを介してメッセンジャーワイヤを支持した状態にして張設を行うので、メッセンジャーワイヤの作業者に対する重量負担が軽減され、作業能率をさらに向上することができる。
【００４０】
図２（Ａ）〜（Ｅ）は、本発明の第二のケーブル架設方法を示し、この方法では２本のロープを使用して複数本のケーブルを架設するようにする。
まず、図２（Ａ）において、電柱列に第１のロープ３ａを張設すると共に、各電柱間１ａ−１ｂ，１ｂ−１ｃ，１ｃ−１ｄに渡るロープ３ａ上にチェーンコイル２ａ，２ｂ，２ｃを外挿し、かつそれぞれの前端側を各電柱間１ａ−１ｂ，１ｂ−１ｃ，１ｃ−１ｄの前方側の電柱１ａ，１ｂ，１ｃ上に固定するか、またはその近傍のロープ３ａ上に仮止めする。
【００４１】
次に、図２（Ｂ）のように、電柱列の最前端に、メッセンジャーワイヤ５が巻かれたリール９と第２のロープ３ｂが巻かれたリール１１とを設置する。このリール９，１１から、それぞれメッセンジャーワイヤ５とロープ３ｂとを解除しつつ、最初の電柱間１ａ−１ｂのチェーンコイル２ａに、その前端部から後端部に向けて同時に挿通する。
【００４２】
さらに、メッセンジャーワイヤ５と第２のロープ３ｂとの先端部を、チェーンコイル２ａの後端部と共に、そのチェーンコイル２ａを伸長させながら後方の電柱１ｂへ引張り、チェーンコイルの後端部を電柱１ｂ上の取付金具６ｂに固定するか、或いはその近傍のロープ３ａ上に仮止めする。また、メッセンジャーワイヤ５と第２のロープ３ｂとを最初の電柱間１ａ−１ｂに延線する。
【００４３】
上記操作を、順次隣接する電柱間１ｂ−１ｃおよび１ｃ−１ｄで繰り返すことにより、図２（Ｃ）のように、メッセンジャーワイヤ５および第２のロープ３ｂを各電柱間に延線し、かつ各チェーンコイル２ａ，２ｂ，２ｃを各電柱間に伸長状態に設定する。これらメッセンジャーワイヤ５と第２のロープ３ｂとの延線と、各チェーンコイル２ａ，２ｂ，２ｃの伸長設定操作とは、地上で作業員Ｍが引っ張りながら操作してもよく、或いは高所作業車上に搭乗して作業車を移動させながら行うようにしてもよい。
【００４４】
次いで、図２（Ｄ）のように、メッセンジャーワイヤ５を各電柱１ａ，１ｂ，１ｃ，１ｄの取付金具６ａ，６ｂ，６ｃ，６ｄに固定し、また前工程でチェーンコイル２ａ，２ｂ，２ｃの両端部を取付金具６ａ，６ｂ，６ｃ，６ｄに固定せず、仮止めにした場合には、それを解舒してメッセンジャーワイヤ５に固定金具８で固定する。各チェーンコイル２ａ，２ｂ，２ｃの両端部の固定は、メッセンジャーワイヤ５への固定と各電柱の取付金具への固定とを併用してもよい。
【００４５】
次いで、図２（Ｅ）のように、電柱列の最前端と最後端とに、それぞれ第１のケーブル７ａが巻かれたリール１２と第２のケーブル７ｂが巻かれたリール１３とを設置する。第１のケーブル７ａの先端は第１のロープ３ａの端部に連結し、また第２のケーブル７ｂの先端は、第２のロープ３ｂの端部に連結し、それぞれ第１のロープ３ａと第２のロープ３ｂとを、矢印イ、ロの方向に牽引して電柱列外へ引き抜き、２本のケーブル７ａ、７ｂをそれぞれ各チェーンコイル２ａ，２ｂ，２ｃ内に挿通させると、２本のケーブル７ａ、７ｂはそれぞれメッセンジャーワイヤ５に対してチェーンコイル２ａ，２ｂ，２ｃを介して一定ピッチで懸架された状態になる。また、リール１２，１３は同じ方向から巻き出してもよい。
【００４６】
図３（Ａ）〜（Ｅ）は、本発明の第三のケーブル架設方法を示す。この方法は、２本のロープを予め電柱間に張設し、一方のロープをメッセンジャーワイヤの張設およびチェーンコイルの伸張のために使用し、他方のロープをケーブルの挿通用に使用するようにした場合を例示する。
【００４７】
まず、図３（Ａ）のように、電柱１ａ，１ｂ，１ｃ，１ｄの電柱列に第１のロープ３ａと第２のロープ３ｂとを同時に張設し、かつ各電柱間１ａ−１ｂ，１ｂ−１ｃ，１ｃ−１ｄに渡るロープ３ａ，３ｂ上に、それぞれチェーンコイル２ａ，２ｂ，２ｃを外挿する。外挿された各チェーンコイル２ａ，２ｂ，２ｃは、それぞれ前端側を各電柱間１ａ−１ｂ，１ｂ−１ｃ，１ｃ−１ｄの前方側の電柱１ａ，１ｂ，１ｃに仮止め手段４ａ，４ｂ，４ｃにより仮止めするか、或いは取付金具６ａ，６ｂ，６ｃ，６ｄに直接固定した状態にする。
【００４８】
次いで、図３（Ｂ）のように、電柱列の端部にメッセンジャーワイヤ５が巻かれたリール９を配置する。このリール９から引き出したメッセンジャーワイヤ５を、最初の電柱間１ａ−１ｂの電柱１ａ側に臨む第２のロープ３ｂに連結すると共に、そのロープ３ｂの最後の電柱１ｄ側に臨む端部を矢印で示す方向へ牽引する。
【００４９】
この牽引に際し、メッセンジャーワイヤ５とロープ３ｂとの連結部がチェーンコイル２ａの後端部に達すると、そのチェーンコイル２ａの後端部を一緒に反対側の電柱１ｂへ引っ張ってチェーンコイル２ａを伸長させながら、電柱１ｂに対して仮止め又は固定し、かつメッセンジャーワイヤ５を最初の電柱間１ａ−１ｂ間に延線する。
【００５０】
上記操作を順次隣接する電柱間１ｂ−１ｃおよび１ｃ−１ｄで繰り返すことにより、各チェーンコイル２ａ，２ｂ，２ｃを各電柱間に伸長設定すると共に、メッセンジャーワイヤ５を延線し、最後に図３（Ｃ）の状態にする。この状態では、第２のロープ３ｂは電柱列から完全に引き抜かれて回収される。
【００５１】
次いで、図３（Ｄ）のように、メッセンジャーワイヤ５を各電柱１ａ，１ｂ，１ｃ，１ｄの取付金具６ａ，６ｂ，６ｃ，６ｄに固定すると共に、前工程で各チェーンコイル２ａ，２ｂ，２ｃの両端部が取付金具６ａ，６ｂ，６ｃ，６ｄに固定せずに仮止めにしてある場合は、それをメッセンジャーワイヤ５に固定金具８により固定する。このチェーンコイル２ａ，２ｂ，２ｃの固定は、メッセンジャーワイヤ５への固定と各電柱の取付金具への固定とを併用してもよい。
【００５２】
次いで、図３（Ｅ）のように、電柱列の前端部にケーブル７を巻回したリール１０を配置し、このリール１０から解除したケーブル７の端部を第１のロープ３ａの端部に連結する。次いで、第１のロープ３ａを他端部を電柱１ｄ側から矢印方向に牽引して、電柱列外へ引き抜くことにより、ケーブル７を各チェーンコイル２ａ，２ｂ，２ｃの内側へ挿通し、そのケーブル７をチェーンコイル２ａ，２ｂ，２ｃを介してメッセンジャーワイヤ５に対して一定ピッチで懸架させた状態にする。また、ケーブル７を巻回したリール１０を、電柱列の後端部に配置し、前記例とは逆の方向に牽引するようにしてもよい。
【００５３】
図４（Ａ）〜（Ｅ）は、本発明の第四のケーブル架設方法を示す。この方法は、３本のロープを使用することにより、電柱列に２本のケーブルを架設する場合を例示する。
【００５４】
まず、図４（Ａ）のように、電柱１ａ，１ｂ，１ｃ，１ｄの電柱列に第１のロープ３ａと第２のロープ３ｂとを同時に張設すると共に、各電柱間１ａ−１ｂ，１ｂ−１ｃ，１ｃ−１ｄに渡るロープ３ａ，３ｂ上にチェーンコイル２ａ，２ｂ，２ｃを外挿する。各チェーンコイル２ａ，２ｂ，２ｃは、それぞれ前端側を各電柱間１ａ−１ｂ，１ｂ−１ｃ，１ｃ−１ｄの前側の電柱１ａ，１ｂ，１ｃの取付金具６ａ，６ｂ，６ｃに固定するか、或いは仮止め手段４ａ，４ｂ，４ｃにより仮止めする。
【００５５】
次いで、図４（Ｂ）のように、電柱列の前端部にメッセンジャーワイヤ５を巻回したリール９と第３のロープ３ｃを巻回したリール１１とを設置し、このメッセンジャーワイヤ５と第３のロープ３ｃとの端部を第２のロープ３ｂの前端側に連結し、この第２のロープ３ｂの後端側（電柱１ｄ側）を矢印方向へ同時に牽引する。この牽引において、メッセンジャーワイヤ５及び第３のロープ３ｃと第２のロープ３ｂとの連結部が、チェーンコイル２ａの後端部まで引き出されたとき、そのチェーンコイルの後端部を上記連結部と共に電柱１ｂ側へ移動させ、電柱１ｂの取付金具６ｂに固定又は仮止めし、かつメッセンジャーワイヤ５および第３のロープ３ｃを電柱間１ａ−１ｂに延線する。
【００５６】
上記操作を順次隣接する電柱間１ｂ−１ｃおよび１ｃ−１ｄで繰り返すことにより、チェーンコイル２ａ，２ｂ，２ｃを各電柱間に伸長設定し、かつメッセンジャーワイヤ５および第３のロープ３ｃを延線して、図４（Ｃ）の状態にする。この図４（Ｃ）の状態になった時点で、第２のロープ３ｂはケーブル架設作業の役目を終わり、電柱列外へ回収される。
【００５７】
次いで、図４（Ｄ）のように、メッセンジャーワイヤ５を各電柱１ａ，１ｂ，１ｃ，１ｄの取付金具６ａ，６ｂ，６ｃ，６ｄに固定する。また、各チェーンコイル２ａ，２ｂ，２ｃの両端部が前工程で取付金具６ａ，６ｂ，６ｃ，６ｄに固定されず、仮止めにしてある場合には、その両端部をメッセンジャーワイヤ５に固定金具８により固定する。各チェーンコイル２ａ，２ｂ，２ｃの両端部の固定は、前述した他のケーブル架設方法の場合と同様に、メッセンジャーワイヤ５への固定と各電柱の取付金具への固定とを併用してもよい。
【００５８】
次いで、図４（Ｅ）のように、電柱列の前端部と後端部とにそれぞれ第１のケーブル７ａを巻回したリール１２と第２のケーブル７ｂを巻回したリール１３とを配置する。そして、リール１２から解除した第１のケーブル７ａの先端部を電柱１ａ側に臨む第１のロープ３ａの端部に連結し、またリール１３から解除した第２のケーブル７ｂを電柱１ｄに臨む第３のロープ３ｃに連結する。
【００５９】
次いで、第１のロープ３ａの他端側を矢印イの方向に牽引し、また第３のロープ３ｃの他端側を矢印ロの方向に牽引して、電柱列外へ引き出すと、それぞれ２本のケーブル７ａおよび７ｂが各チェーンコイル２ａ，２ｂ，２ｃの内側に挿通され、これらチェーンコイル２ａ，２ｂ，２ｃを介してメッセンジャーワイヤ５に対して一定ピッチで懸架された状態になる。リール１２，１３は同一電柱列から引き出すようにしてもよく、方向を規定するものではない。
【００６０】
図５（Ａ）〜（Ｅ）は、本発明の第五のケーブル架設方法を示す。この方法は２本のロープを使用してメッセンジャーワイヤとケーブルとを架設する場合を例示する。
【００６１】
まず、図５（Ａ）のように、電柱１ａ，１ｂ，１ｃ，１ｄの電柱列全体に第１のロープ３ａを張設すると共に、各電柱間１ａ−１ｂ，１ｂ−１ｃ，１ｃ−１ｄに渡るロープ３ａ上にチェーンコイル２ａ，２ｂ，２ｃを外挿した状態にする。各チェーンコイル２ａ，２ｂ，２ｃの前端側は、各電柱間１ａ−１ｂ，１ｂ−１ｃ，１ｃ−１ｄの前側の電柱１ａ，１ｂ，１ｃの取付金具６ａ，６ｂ，６ｃに固定するか、又は仮止め手段４ａ，４ｂ，４ｃにより仮止めする。
【００６２】
次いで、図５（Ｂ）のように、最初の電柱間１ａ−１ｂに仮止めされたチェーンコイル２ａの後端部をチェーンコイル２ａを伸長させながらロープ３ａに沿って電柱１ｂ側へ移動させ、その後端部を電柱１ｂの取付金具６ｂに固定又は仮止めする。このチェーンコイル２ａの後端部の移動は、地上から作業員Ｍが牽引ロープＲを使用して牽引するようにしてもよく、或いはチェーンコイル２ａの後端部を把持した作業員Ｍが高所作業車に搭乗して作業車と共に移動しながら牽引してもよい。
【００６３】
上記操作を順次隣接する電柱間１ｂ−１ｃおよび１ｃ−１ｄで繰り返すことにより、各チェーンコイル２ａ，２ｂ，２ｃを各電柱間に伸長設定し、しかる後、図５（Ｃ）のように、電柱列の前端部にメッセンジャーワイヤ５を巻回したリール９と、第２のロープ３ｂを巻回したリール１１とを配置し、これらから解除したメッセンジャーワイヤ５と第２のロープ３ｂとの端部を電柱１ａ側に臨む第１のロープ３ａの端部に連結する。次いで、第１のロープ３ａの電柱１ｄ側の端部を矢印方向に牽引し、電柱列外へ引き抜くことにより、メッセンジャーワイヤ５と第２のロープ３ｂとを各チェーンコイル２ａ，２ｂ，２ｃの内側に挿通状態にする。
【００６４】
次いで、図５（Ｄ）のように、メッセンジャーワイヤ５を各電柱１ａ，１ｂ，１ｃ，１ｄの取付金具６ａ，６ｂ，６ｃ，６ｄに固定し、また各チェーンコイル２ａ，２ｂ，２ｃの両端部を取付金具６ａ，６ｂ，６ｃ，６ｄに固定せず、仮止めにしてある場合は、その両端部をメッセンジャーワイヤ５に固定金具８により固定する。各チェーンコイル２ａ，２ｂ，２ｃの両端部は、メッセンジャーワイヤ５への固定と各電柱の取付金具への固定とを併用してもよいことは前述した場合と同様である。
【００６５】
次いで、図５（Ｅ）のように、ケーブル７が巻かれたリール１０を配置し、このリール１０から引き出したケーブル７を第２のロープ３ｂの端部に連結し、この第２のロープ３ｂを他端側を牽引して電柱列外へ引き抜くことにより、ケーブル７を各チェーンコイル２ａ，２ｂ，２ｃの内側へ挿通する。挿通後のケーブル７はメッセンジャーワイヤ５に対してチェーンコイル２ａ，２ｂ，２ｃを介して一定ピッチで懸架された状態になる。
【００６６】
図６（Ａ）〜（Ｅ）は、本発明の第六のケーブル架設方法を示す。この方法は１本のロープを使用してメッセンジャーワイヤとケーブルとを架設する場合を例示する。
【００６７】
まず、図６（Ａ）のように、電柱列の前端にメッセンジャーワイヤ５を巻回したリール９とロープ３を巻回したリール１４とを配置する。ここから解除したメッセンジャーワイヤ５とロープ３とにチェーンコイル２ａを外挿し、そのチェーンコイル２ａの前端部を最初の電柱１ａの取付金具６ａに固定する。
【００６８】
このチェーンコイル２ａに対して、メッセンジャーワイヤ５の端部をチェーンコイル２ａの前端から挿入して後端部に係止させる。また、ロープ３の方はチェーンコイル２ａを貫通させて後方へ延長するようにする。この時、コイルの後端部近辺でメッセンジャーワイヤとロープを係止する。作業員Ｍは、チェーンコイル２ａの後方へ延長したロープ３の端部を把持し、その中間部を隣りの電柱１ｂの取付金具６ｂにガイドさせながら、図６（Ｂ）のように牽引する。
【００６９】
このロープ３の牽引により、メッセンジャーワイヤ５が引っ張られると共に、チェーンコイル２ａの後端部を電柱１ｂ側へ引っ張っていく。そして、チェーンコイル２ａの後端部が電柱１ｂに到達したところで、それを電柱１ｂの取付金具６ｂに固定又は仮止めする。
【００７０】
上記操作を順次隣接する電柱間１ｂ−１ｃおよび１ｃ−１ｄで繰り返すことにより、図６（Ｃ）のように、各チェーンコイル２ａ，２ｂ，２ｃを各電柱間に伸長設定し、かつメッセンジャーワイヤ５とロープ３とを電柱列全体に張設した状態にする。
【００７１】
次いで、図６（Ｄ）のように、メッセンジャーワイヤ５を各電柱１ａ，１ｂ，１ｃ，１ｄの取付金具６ａ，６ｂ，６ｃ，６ｄに固定し、またロープ３をメッセンジャーワイヤ５から分離させた状態にする。また、各チェーンコイル２ａ，２ｂ，２ｃの両端部が仮止めしてある場合は、メッセンジャーワイヤの固定と各電柱の取付金具とを併用して固定してもよいことは前述の通りである。さらに、電柱列の電柱１ａ側の端部にケーブル７を巻回したリール１０を設置し、図６（Ｅ）のようにする。
【００７２】
さらに図６（Ｅ）において、リール１０から解除したケーブル７の端部をロープ３の端部に連結し、このロープ３の他端側（電柱１ｄ側）を牽引して、電柱列外へ完全に引き抜くと、ケーブル７はチェーンコイル２ａ，２ｂ，２ｃの内側に挿通され、これらチェーンコイル２ａ，２ｂ，２ｃを介してメッセンジャーワイヤ５に一定ピッチで懸架された状態になる。ここで、リール１０を電柱１ｄ側に配置し、電柱１ａ側から牽引してもよいことは前述の通りである。この第六のケーブル架設方法は、電柱間の距離が短い場合や障害物がなくメッセンジャーワイヤが若干垂れ下がってもよい場合等に特に有効である。
【００７３】
上述した第二〜第六のケーブル架設方法においても、図１（Ａ）〜（Ｅ）の第一のケーブル架設方法と同様に、メッセンジャーワイヤに対してケーブルをチェーンコイルを懸架手段として一定ピッチで支持するようにしたので、従来の吊具を１個ずつ取り付けるときのような煩雑な手間がなくなり、作業性を向上することができる。しかも、合成樹脂製のチェーンコイルは、従来の金属製吊具に比べて軽量であるため、さらに作業性を向上することができる。
【００７４】
また、第二〜第五のケーブル架設方法では、重量体のメッセンジャーワイヤの張設に際して、予め電柱間に軽量なロープを張設し、このロープにチェーンコイルを介してメッセンジャーワイヤを支持させるようにしながら張設するので、メッセンジャーワイヤの作業者に対する重量負担が軽減し、さらに作業能率を向上することができるようになる。
【００７５】
【発明の効果】
上述したように、本発明によれば、メッセンジャーワイヤにチェーンコイルを懸架手段としてケーブルを一定ピッチで懸架するようにしたので、吊具を１個ずつ取り付ける従来方法の煩雑さが解消され、作業性の向上を図ることができる。
【００７６】
また、重量体であるメッセンジャーワイヤの張設に際しては、予め電柱間に軽量なロープを張設し、このロープにチェーンコイルを介してメッセンジャーワイヤの重量を支持させつつ張設するようにしたので、メッセンジャーワイヤの作業者に対する重量負担を軽減し、さらに作業能率を向上することができる。
【図面の簡単な説明】
【図１】（Ａ）〜（Ｅ）は、本発明のケーブル架設方法の第一の実施形態を例示する工程図である。
【図２】（Ａ）〜（Ｅ）は、本発明のケーブル架設方法の第二の実施形態を例示する工程図である。
【図３】（Ａ）〜（Ｅ）は、本発明のケーブル架設方法の第三の実施形態を例示する工程図である。
【図４】（Ａ）〜（Ｅ）は、本発明のケーブル架設方法の第四の実施形態を例示する工程図である。
【図５】（Ａ）〜（Ｅ）は、本発明のケーブル架設方法の第五の実施形態を例示する工程図である。
【図６】（Ａ）〜（Ｅ）は、本発明のケーブル架設方法の第六の実施形態を例示する工程図である。
【図７】（Ａ）は本発明のケーブル架設方法に使用されるチェーンコイルの側面図であり、（Ｂ）は同チェーンコイルのコイル本体の横断面図である。
【図８】図７のチェーンコイルを引き延ばし状態にしたときの側面図である。
【図９】従来の方法によって架設されたケーブルの側面図である。
【符号の説明】
１ａ，１ｂ，１ｃ，１ｄ  電柱
２ａ，２ｂ，２ｃ  チェーンコイル
３，３ａ，３ｂ，３ｃ  ロープ
５  メッセンジャーワイヤ
７，７ａ，７ｂ  ケーブル
【図１】
0004179430.tif 000002
【図２】
0004179430.tif 000003
【図３】
0004179430.tif 000004
【図４】
0004179430.tif 000005
【図５】
0004179430.tif 000006
【図６】
0004179430.tif 000007
【図７】
0004179430.tif 000008
【図８】
0004179430.tif 000009
【図９】
0004179430.tif 000010